【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
所定の起点値を起点として所定範囲の数値を循環的にカウントする主カウント手段と、その主カウント手段の起点値を所定のタイミングで変更する変更手段と、前記主カウント手段によるカウント値が所定の当たり値であるかを判定する主判定手段とを有し、遊技の制御を行う主制御手段と、その主制御手段の指示により制御が行われる副制御手段と、前記主判定手段の判定結果に応じた識別情報を表示する表示装置とを備え、所定の始動条件が成立すると前記表示装置で識別情報の変動が開始されると共に、前記主判定手段により前記主カウント手段のカウント値が所定の当たり値であると判定されると、前記表示装置にあらかじめ定めた所定の識別情報を表示させて前記主制御手段と副制御手段とにより遊技者に有利な特別遊技を実行する制御が行われる遊技機において、
前記主制御手段は、
前記主カウント手段のカウント値を既定値に設定する設定手段と、
その設定手段により前記主カウント手段のカウント値が既定値に設定された場合に前記副制御手段に対して第１のコマンドを送信すると共に、前記所定の始動条件が成立して前記表示装置で識別情報が変動開始するタイミングで前記副制御手段に対して第２のコマンドを送信する送信手段とを備え、
前記副制御手段は、
前記送信手段により送信されたコマンドを判定するコマンド判定手段と、
そのコマンド判定手段により送信されたコマンドが第１のコマンドであると判定された場合に、その第１のコマンドが受信されてからの経過時間を計測可能な計測手段と、
前記主カウント手段のカウント値が所定の当たり値となり特別遊技が行われる場合に、前記主カウント手段のカウント値が既定値から少なくとも所定の当たり値に達するまでに有する第１の時間が、前記コマンド判定手段により第２のコマンドを受信したと判定された際に前記計測手段により計測されていれば第１の特別遊技を実行する制御を行うと共にその第２のコマンドを受信したと判定された際に前記計測手段により計測されていなければ第１の特別遊技とは異なる第２の特別遊技を実行する制御を行う特別遊技実行手段とを備えていることを特徴とする遊技機。
【請求項２】
所定の起点値を起点として所定範囲の数値を循環的にカウントする主カウント手段と、その主カウント手段の起点値を所定のタイミングで変更する変更手段と、前記主カウント手段によるカウント値が所定の当たり値であるかを判定する主判定手段とを有し、遊技の制御を行う主制御手段と、その主制御手段の指示により制御が行われる副制御手段と、前記主判定手段の判定結果に応じた識別情報を表示する表示装置とを備え、所定の始動条件が成立すると前記表示装置で識別情報の変動が開始されると共に、前記主判定手段により前記主カウント手段のカウント値が所定の当たり値であると判定されると、前記表示装置にあらかじめ定めた所定の識別情報を表示させて前記主制御手段と副制御手段とにより遊技者に有利な特別遊技を実行する制御が行われる遊技機において、
前記主制御手段は、
前記主カウント手段のカウント値を既定値に設定する設定手段と、
前記所定の始動条件が成立した場合の前記主カウント手段のカウント値を所定数を上限として記憶する主記憶手段と、
前記設定手段により前記主カウント手段のカウント値が既定値に設定された場合に前記副制御手段に対して第１のコマンドを送信し、前記所定の始動条件が成立して前記表示装置で識別情報の変動が開始される毎に前記副制御手段に対して第２のコマンドを送信し、前記主記憶手段に前記主カウント手段のカウント値が記憶された場合に前記副制御手段に対して第３のコマンドを送信する送信手段とを備え、
前記副制御手段は、
前記送信手段により送信されたコマンドを判定するコマンド判定手段と、
そのコマンド判定手段により送信されたコマンドが第１のコマンドであると判定された場合に、その第１のコマンドが受信されてからの経過時間を計測可能な計測手段と、
前記コマンド判定手段により前記第１のコマンドであると判定された場合に少なくとも初期値が設定され、前記主カウント手段のカウント値が既定値から少なくとも所定の当たり値に達するまでに有する第１の時間を前記計測手段が計測する前に前記コマンド判定手段により第３のコマンドであると判定される毎にその判定された回数に対応した情報を記憶すると共に、その第３のコマンドと判定された回数に対応した情報が記憶されている場合に前記コマンド判定手段により前記第２のコマンドであると判定される毎に前記第３のコマンドと判定された回数に対して１を減算した回数に対応した情報を記憶する第２の副記憶手段と、
前記主カウント手段のカウント値が所定の当たり値となり特別遊技が行われる場合に、前記第２の副記憶手段に前記初期値より少ない回数に対応した情報が記憶されていれば第１の特別遊技を実行する制御を行うと共に、前記第２の副記憶手段に前記初期値以上の回数に対応した情報が記憶されていれば第１の特別遊技とは異なる第２の特別遊技を実行する制御を行う特別遊技実行手段とを備えていることを特徴とする遊技機。
【請求項３】
前記主カウント手段は、起点値が前記変更手段により変更または前記設定手段により既定値に設定されると、カウント値が所定範囲を１周するまで新たな起点値に変更されずに所定範囲を１周した場合に新たな起点値に変更されるように構成され、
前記計測手段は、所定の起点値を起点としてカウントする副カウント手段で構成され、
前記副制御手段は、その副カウント手段のカウント値が前記第１の時間に対応したカウント値となったかを判定する副判定手段を備え、
前記副カウント手段は、前記主カウント手段がカウントされる所定間隔と同間隔でカウントされるよう構成されていることを特徴とする請求項１又は２に記載の遊技機。
【請求項４】
前記副カウント手段は、所定の起点値を起点として所定範囲の数値をカウントするものであり、
前記副制御手段は、前記副判定手段により前記副カウント手段のカウント値が前記第１の時間に対応したカウント値となったと判定された場合に、その副カウント手段のカウントを停止するカウント停止手段を備えていることを特徴とする請求項３記載の遊技機。
【請求項５】
前記主制御手段は、遊技の制御を初期状態にする信号が入力される信号入力部を備え、
前記設定手段は、前記信号入力部に信号が入力された場合に前記主カウント手段のカウント値を既定値に設定することを特徴とする請求項１から４のいずれかに記載の遊技機。
【手続補正２】
【補正対象書類名】明細書
【補正対象項目名】００１３
【補正方法】変更
【補正の内容】
【００１３】
よって、ホール関係者がホールの営業中に遊技機の特別遊技の状態を監視することにより、不正による特別遊技か正常な特別遊技かを確認することができる。即ち、遊技機が特別遊技となった場合に、第１の特別遊技が実行されていれば正常な特別遊技が行われていることを確認でき、一方、第２の特別遊技が実行されていれば不正な特別遊技が行われていることを確認できる。よって、ぶら下げ基板が取り付けられた可能性がある遊技機を特定することができる。
請求項３記載の遊技機は、請求項１又は２に記載の遊技機において、前記主カウント手段は、起点値が前記変更手段により変更または前記設定手段により既定値に設定されると、カウント値が所定範囲を１周するまで新たな起点値に変更されずに所定範囲を１周した場合に新たな起点値に変更されるように構成され、前記計測手段は、所定の起点値を起点としてカウントする副カウント手段で構成され、前記副制御手段は、その副カウント手段のカウント値が前記第１の時間に対応したカウント値となったかを判定する副判定手段を備え、前記副カウント手段は、前記主カウント手段がカウントされる所定間隔と同間隔でカウントされるよう構成されている。
請求項４記載の遊技機は、請求項３記載の遊技機において、前記副カウント手段は、所定の起点値を起点として所定範囲の数値をカウントするものであり、前記副制御手段は、前記副判定手段により前記副カウント手段のカウント値が前記第１の時間に対応したカウント値となったと判定された場合に、その副カウント手段のカウントを停止するカウント停止手段を備えている。
請求項５記載の遊技機は、請求項１から４のいずれかに記載の遊技機において、前記主制御手段は、遊技の制御を初期状態にする信号が入力される信号入力部を備え、前記設定手段は、前記信号入力部に信号が入力された場合に前記主カウント手段のカウント値を既定値に設定するものである。
【手続補正３】
【補正対象書類名】明細書
【補正対象項目名】００１９
【補正方法】変更
【補正の内容】
【００１９】
また、主制御手段では、副制御手段に対してコマンドを送信（指示）するだけで、副制御手段により不正行為による特別遊技か否かを判定してその判定結果に基づいた特別遊技を実行する制御が行われる。よって、主制御手段において不正行為による特別遊技か否かを判定する制御を行う場合と比較して、主制御手段の制御負担を軽減することができるという効果がある。
請求項３記載の遊技機によれば、請求項１又は２に記載の遊技機の奏する効果に加え、主カウント手段が所定範囲を１周するまで新たな起点値が設定されないと共に、副カウント手段が主カウント手段と同間隔でカウントされるので、主カウント手段が１周するまでの時間を正確に計測できるという効果がある。また、副カウント手段のカウント値が第１の時間に対応したカウント値となったかを副判定手段により判定できるので、主カウント手段が既定値に設定されてからの第１の時間を正確に計測することができるという効果がある。
請求項４記載の遊技機によれば、請求項３記載の遊技機の奏する効果に加え、副カウント手段が継続してカウントされ続けると、所定範囲を超えてしまい副カウント手段のカウント値を正確に把握できないこともあるが、副カウント手段のカウント値が第１の時間に対応したカウント値となった後はカウント値が更新されないので、カウント値が所定範囲を超えてしまうことを防止できるという効果がある。
請求項５記載の遊技機によれば、請求項１から４のいずれかに記載の遊技機の奏する効果に加え、信号入力部に信号が入力された場合に主カウント手段のカウント値が既定値に設定されるので、信号入力部に信号が入力された場合に、主制御手段から副制御手段に対して第１のコマンドが送信される。
ここで、信号入力部には、遊技機の電源投入時にホール関係者により意図的に信号が入力される場合と、ぶら下げ基板により不正行為を目的として信号が入力される場合とがある。ホール関係者により意図的に信号が入力される場合は、第１の時間が経過した後に遊技者が遊技を開始することとなり、特別遊技が行われる場合には第１の特別遊技が実行される。一方、ぶら下げ基板により不正行為を目的として信号が入力される場合は、第１の時間が経過する前に所定の当たり値となるタイミングで信号が入力されるので、第２の特別遊技が実行される。
請求項５によれば、信号入力部に信号が入力された場合に、主制御手段から副制御手段に対して第１のコマンドが送信されるので、不正な大当たりが発生した場合には第２の特別遊技が実行される。よって、ホール関係者が特別遊技の状態を確認することで不正行為が行われた可能性がある遊技機を発見できるという効果がある。
【手続補正４】
【補正対象書類名】明細書
【補正対象項目名】０３８９
【補正方法】変更
【補正の内容】
【０３８９】
ここで、本実施の形態において、請求項１記載の遊技機及び遊技機１及び４の変更手段としては図４８と図６１のＳ６０７の処理が該当し、請求項１記載の遊技機並びに遊技機１及び４の既定値判定手段としては図４８のＳ６０２の処理が該当し、請求項１記載の遊技機並びに遊技機１及び４の第１のコマンドを送信する送信手段としては図４８のＳ６０４の処理が該当し、請求項１記載の遊技機並びに遊技機１及び４の特別遊技実行手段としては図５５のＳ１３０４〜Ｓ１３０６の処理が該当し、遊技機４の第３のコマンドを送信する送信手段としては図４９のＳ７０５の処理が該当し、請求項３記載の遊技機及び遊技機６の副判定手段としは図５６のＳ１４０２の処理が該当し、遊技機７の初期値設定手段としては図５７のＳ１５０１の表示乱数カウンタＣ１１を初期化する処理と図６０のＳ１７０１の表示乱数カウンタＣ１１を初期化する処理が該当し、請求項４記載の遊技機及び遊技機８のカウント停止手段としては図５６のＳ１４０３の処理が該当し、遊技機１３の第３の判定手段としては図４８のＳ６０２の処理とＳ６０３の処理とが該当し、遊技機１３の第４の判定手段としては図４８のＳ６０６の処理が該当する。また、請求項５記載の遊技機及び遊技機１１の信号入力部は、ＲＡＭ消去信号ＳＧ２が入力される入力端子とリセット信号が入力されるリセット端子とに該当する。